(57)【特許請求の範囲】
【請求項１】
底部から側面にかけて排水用の開口１１を有した箱体である槽体１と、
槽体１内の排水を下水側へと排水する排水器３と、
槽体１の開口から槽体１裏面に向けて構成され、槽体１と排水器３を接続する接続筒２と、
排水器３と槽体１を接続する接続部Ｓと、
から成る槽体と排水器３の接続構造において、
接続筒２は槽体１後方へ向かうように傾斜し、
接続部Ｓは、前記接続筒２に外側方向へ向けて突出する第一フランジ部２１と、前記排水器３に外側方向へ向けて突出する第二フランジ部３１を備え、
接続部Ｓの接続面が、水平面に対し傾斜または直交する角度で接続されることを特徴とする槽体と排水器の接続構造。
【請求項２】
前記槽体１は、収納部１２を有する流し台又は洗面台に用いられ、
前記流し台又は洗面台は、槽体１の下方に収納部を有することを特徴とする請求項１に記載の槽体と排水器の接続構造。
【請求項３】
前記接続筒２と排水器３の少なくとも下方に位置する傾斜面が、段差がない状態もしくは下流になるほど下方に位置するように接続したことを特徴とする前記請求項１又は請求項２に記載の槽体と排水器の接続構造。
【請求項４】
前記接続筒２を槽体１と一体的に構成したことを特徴とする前記請求項１乃至請求項３のいずれか１つに記載の槽体と排水器の接続構造。
【請求項５】
前記接続筒２を槽体１と別体に構成したことを特徴とする前記請求項１乃至請求項３のいずれか１つに記載の槽体と排水器の接続構造。
【請求項６】
前記第一フランジ部２１に係止する、外周に雄ねじ６１を螺設する分割体であって、内部に接続筒２外周を囲う開口を形成する分割ナット４と、
第二フランジ部３１に係止して分割ナット４の雄ねじ６１と螺合する雌ねじ６２を有したロックナット５と、
から成るように前記接続部Ｓを構成したことを特徴とする前記請求項１乃至請求項５のいずれか一つに記載の槽体と排水器の接続構造。
【請求項７】
前記第一フランジ部２１に係止する、内周に雌ねじ６２を螺設する分割体であって、内部に接続筒２外周を囲う開口を形成する分割ナット４と、
分割ナット４が分解しないようガイドするガイド体４１と、
前記排水器３外周に螺設した、前記分割ナット４の雌ねじ６２と螺合する雄ねじ６１と、
から成るように前記接続部Ｓを構成したことを特徴とする前記請求項１乃至請求項５のいずれか一つに記載の槽体と排水器の接続構造。
【請求項８】
前記接続筒２に構成したビス孔７２と、
第二フランジ部３１に開口したビス孔７２と、
外周に雄ねじ６１を螺設し、前記第二フランジ部３１のビス孔７２を介して接続筒２のビス孔７２に挿入するビス７１と、
前記ビス７１の雄ねじ６１と螺合して第一フランジ部２１と第二フランジ部３１を接続する雌ねじ６２と、
から成るように接続部Ｓを構成したことを特徴とする前記請求項１乃至請求項５のいずれか一つに記載の槽体と排水器の接続構造。
【請求項９】
ばね性を有する材料からなる先端部間に開口部８２を有して弧状に形成されて、且つ第一フランジ部２１と第二フランジ部３１を当接して固定するクイックファスナー８と、
から成るように接続部Ｓを構成したことを特徴とする前記請求項１乃至請求項５のいずれか一つに記載の槽体と排水器の接続構造。
【請求項１０】
前記接続筒２外周に備えた雄ねじ６１と、
該雄ねじ６１に螺合する前記排水器３側に備えた雌ねじ６２と、
から成るように接続部Ｓを構成したことを特徴とする前記請求項１乃至請求項５のいずれか一つに記載の槽体と排水器の接続構造。
【発明の詳細な説明】
【技術分野】
【０００１】
本発明は、台所や洗面所などの槽体に取り付けられる、排水用の排水器と槽体の接続構造に関するものである。
【背景技術】
【０００２】
従来から、図１３に示すように、台所や洗面所などの槽体に採用される、排水用の排水器と槽体の取り付け構造がよく知られている。
本従来例の槽体と排水器の取り付け構造は台所の流し台に取り付けられる。
この流し台は、後記する槽体と、槽体の下方に配置される、なべやフライパンなどの小物を収納する収納部を構成する。
本従来例の槽体と排水器の取り付け構造は、槽体と、接続筒と、排水器と、接続部と、から構成される。
槽体は、底部及び側面に係るように排水用の開口を構成し、内部に排水を貯水したり、排水を行う箱体である。
接続筒は、槽体裏面から側面にかけて下方に向けて垂下する筒体であって、当該筒体の下端は、前記排水器が接続される接続方向端部である。また、接続筒の接続方向端部外周には、雄ねじが螺設して構成される。
排水器は、接続筒に接続される部材であって、外側方向に向けて突出して構成するフランジ部を備え、当該フランジ部によって抜脱不可に配置される、内周に雌ねじ螺設した袋ナットが配置構成される。
また、接続部は、接続筒の雄ねじ及び排水器の雌ねじを有した袋ナット、及びフランジ部を指して接続部とする。当該接続部は、排水器の袋ナットの雌ねじを、接続筒の雄ねじに螺合させ、接続筒と排水器を水密的に接続する。そして、接続部である排水器と接続筒の接続面は、槽体と平行するように配置される。
【０００３】
上記した槽体と排水器の施工方法としては、工場等で槽体の裏面に接続筒を溶接などで取り付けておき、接続筒の排水器との接続方向端部に、水密パッキンを介して排水器のフランジ部を合致させ、袋ナットを接続筒の雄ねじに螺合させる。そうすることで、排水器と接続筒の接続が完了する。また、排水器はこの後排水管が接続され、施工が完了する。
また、この槽体と排水器の排水の流れは以下のようである。
槽体内に発生した排水は、排水用の開口から接続筒を介し、排水器内に流入する。その後、排水器を介し、排水管を経由して、最終的には下水管へと排水される。
【０００４】
また、そのほかの従来例として、図１４に示すように、台所や洗面所などの槽体に取り付けられる、排水用の排水器と槽体の取り付け構造がある。
本従来例の槽体と排水器の取り付け構造は台所の流し台に取り付けられる。この流し台は、後記する槽体と、槽体の下方に配置される、なべやフライパンなどの小物を収納する収納部を構成する。
本従来例の槽体と排水器の取り付け構造は、槽体と、接続筒と、排水器と、ロックナットと、接続部と、から構成される。
槽体は、底部及び側面に係るように排水用の開口を構成し、内部に排水を貯水したり、排水を行う箱体である。
接続筒は、槽体底面から側面にかけて下方に向けて、槽体の底面に対し傾斜して構成される筒体であって、当該筒体の下端は、前記排水器が接続される接続方向端部である。また、接続筒の接続方向端部には、内側方向に向けて突出して構成するフランジ部が構成される。
排水器は、接続筒に接続される部材であって、本従来例では内部に封水式の排水トラップを備える。当該排水トラップは、封水によってシールすることで、下水からの異臭や害虫を室内側へ逆流させないようにするものである。また、当該排水器上端には外側方向に向けて突出して構成するフランジ部を備え、更にフランジ部下方には雄ねじを螺設している。
ロックナットは、リング状であって、内周に雌ねじを螺設しており、前記排水器の雄ねじに螺合するように構成する。
また、接続部は、接続筒のフランジ部、排水器のフランジ部、雄ねじ部、ロックナット、を指して接続部とする。当該接続部は、傾斜した接続筒のフランジ部に、水密パッキンを介して排水器のフランジ部を係止させ、排水器裏面からロックナットの雌ねじを排水器の雄ねじに螺合させて接続される。
【０００５】
上記した槽体と排水器の施工方法としては、工場等で槽体の裏面に接続筒を溶接などで取り付けておく。その後、槽体の上面から水密パッキンを介して排水器を挿入し、接続筒の内側方向のフランジ部に排水器の外側方向のフランジ部を係止させる。そして、槽体の裏面からロックナットを排水器に挿通させ、ロックナットの雌ねじを排水器の雄ねじに螺合させ、排水器のフランジ部とロックナットによって接続筒のフランジ部に狭持するように締め付け、排水器を接続筒に水密的に接続することが出来る。
その後、排水器に排水管や下水管を接続し施工が完了する。
また、この槽体と排水器の排水の流れは以下のようである。
槽体内に発生した排水は、排水用の開口から接続筒を介し、排水器内に流入する。その後、排水器の排水トラップを介し、排水管を経由して、最終的には下水管へと排水される。
【先行技術文献】
【特許文献】
【０００６】
【特許文献１】特開平７−２６６０７号公報
【発明の概要】
【発明が解決しようとする課題】
【０００７】
前記した従来例の槽体と排水器の接続構造では以下のような問題があった。
通常、洗面台や台所の流し台においては、槽体の下方に収納部とよばれる、鍋やフライパン、洗剤などを収納する収納空間が存在するが、最近では当該収納部を引き出し式にしてデッドスペースを有効活用するものが主流となってきている。
しかしながら、槽体に接続された排水器や排水管が邪魔となり、排水器の空間を避けた異形の引き出しとなったり、引き出しではなくとも収納スペースが制限されることが多い。
ここで、図１３に示したような従来例では、できるだけ排水器を槽体の後方となるよう配管接続されたものがある。この従来例では、接続筒が下方に向けて垂下するように構成されているため、槽体の後方の空間にデッドスペースができ、結局の所収納部内の引き出し等の空間に排水器や配管が配置されるため収納部内のデッドスペースが多い。
ここで、収納部内のデッドスペースを少しでも減少させるべく槽体の後方空間、水道管等が配置される空間であるデッドスペースを有効活用する槽体と排水器の接続構造もあった。
図１４に示した従来例では、前記したように、槽体の後方のデッドスペースを有効活用するべく、槽体の接続筒を傾斜して構成し、槽体の後方のデッドスペース部分に排水器と排水管を配置するものが検討された。この従来例では排水器と排水管が槽体の後方に位置して接続されており収納部のデッドスペースが少ないというメリットはあるものの、排水器と接続筒の接続が、フランジ部同士によって狭持して接続されているため、排水器の外側方向に向けて突出するフランジ部、及び接続筒の内側方向に向かって突出するフランジ部のそれぞれのフランジ部の幅が必要となる。そうすると、接続部は水平面に対し傾斜している為、フランジ部の幅分の水残りが生じる。この水残りが生じると、ヌメリやカビが発生しやすくなったり、使用者にとっても常時水残りがあるということは不快であった。
【０００８】
本発明の槽体と排水器の接続構造は、上記の課題である、収納部内のデッドスペースを少なくするという課題と、接続部の水残りを発生させないという課題を解決するべく発明したものである。
【課題を解決するための手段】
【０００９】
請求項１に記載の槽体と排水器の接続構造は、底部から側面にかけて排水用の開口１１を有した箱体である槽体１と、槽体１内の排水を下水側へと排水する排水器３と、槽体１の開口から槽体１裏面に向けて構成され、槽体１と排水器３を接続する接続筒２と、排水器３と槽体１を接続する接続部Ｓと、から成る槽体と排水器３の接続構造において、接続筒２は槽体１後方へ向かうように傾斜し、接続部Ｓは、前記接続筒２に外側方向へ向けて突出する第一フランジ部２１と、前記排水器３に外側方向へ向けて突出する第二フランジ部３１を備え、接続部Ｓの接続面が、水平面に対し傾斜または直交する角度で接続されることを特徴とする槽体と排水器の接続構造である。
【００１０】
請求項２に記載の槽体と排水器の接続構造は、前記槽体１は、収納部１２を有する流し台又は洗面台に用いられ、前記流し台又は洗面台は、槽体１の下方に収納部を有することを特徴とする段落０００９に記載の槽体と排水器の接続構造である。
【００１１】
請求項３に記載の槽体と排水器の接続構造は、前記接続筒２と排水器３の少なくとも下方に位置する傾斜面が、段差がない状態もしくは下流になるほど下方に位置するように接続したことを特徴とする前記段落０００９又は段落００１０に記載の槽体と排水器の接続構造である。
【００１２】
請求項４に記載の槽体と排水器の接続構造は、前記接続筒２を槽体１と一体的に構成したことを特徴とする前記段落０００９乃至段落００１１のいずれか１つに記載の槽体と排水器の接続構造である。
【００１３】
請求項５に記載の槽体と排水器の接続構造は、前記接続筒２を槽体１と別体に構成したことを特徴とする前記段落０００９乃至段落００１１のいずれか１つに記載の槽体と排水器の接続構造である。
【００１４】
請求項６に記載の槽体と排水器の接続構造は、前記第一フランジ部２１に係止する、外周に雄ねじ６１を螺設する分割体であって、内部に接続筒２外周を囲う開口を形成する分割ナット４と、第二フランジ部３１に係止して分割ナット４の雄ねじ６１と螺合する雌ねじ６２を有したロックナット５と、から成るように前記接続部Ｓを構成したことを特徴とする前記段落０００９乃至段落００１３のいずれか一つに記載の槽体と排水器の接続構造である。
【００１５】
請求項７に記載の槽体と排水器の接続構造は、前記第一フランジ部２１に係止する、内周に雌ねじ６２を螺設する分割体であって、内部に接続筒２外周を囲う開口を形成する分割ナット４と、分割ナット４が分解しないようガイドするガイド体４１と、前記排水器３外周に螺設した、前記分割ナット４の雌ねじ６２と螺合する雄ねじ６１と、から成るように前記接続部Ｓを構成したことを特徴とする前記段落０００９乃至段落００１３のいずれか一つに記載の槽体と排水器の接続構造である。
【００１６】
請求項８に記載の槽体と排水器の接続構造は、前記接続筒２に構成したビス孔７２と、第二フランジ部３１に開口したビス孔７２と、外周に雄ねじ６１を螺設し、前記第二フランジ部３１のビス孔７２を介して接続筒２のビス孔７２に挿入するビス７１と、前記ビス７１の雄ねじ６１と螺合して第一フランジ部２１と第二フランジ部３１を接続する雌ねじ６２と、から成るように接続部Ｓを構成したことを特徴とする前記段落０００９乃至段落００１３のいずれか一つに記載の槽体と排水器の接続構造である。
【００１７】
請求項９に記載の槽体と排水器の接続構造は、ばね性を有する材料からなる先端部間に開口部８２を有して弧状に形成されて、且つ第一フランジ部２１と第二フランジ部３１を当接して固定するクイックファスナー８と、から成るように接続部Ｓを構成したことを特徴とする前記段落０００９乃至段落００１３のいずれか一つに記載の槽体と排水器の接続構造である。
【００１８】
請求項１０に記載の槽体と排水器の接続構造は、前記接続筒２外周に備えた雄ねじ６１と、該雄ねじ６１に螺合する前記排水器３側に備えた雌ねじ６２と、から成るように接続部Ｓを構成したことを特徴とする前記段落０００９乃至段落００１３のいずれか一つに記載の槽体と排水器の接続構造である。
【発明の効果】
【００１９】
請求項１又は請求項２に記載の本発明は、接続部Ｓの接続面が、水平面に対し傾斜または直交する角度で接続されたことから、排水器３や排水管を槽体１のデッドスペースである槽体１の後方へ向けて配置することができるので、収納部１２内のデッドスペースが減少した。
請求項３に記載の本発明は、前記接続筒２と排水器３の少なくとも下方に位置する傾斜面が、段差がない状態もしくは下流になるほど段差が大きくなるようにしたことから、排水器３と槽体１の接続箇所に水残りが発生することが無くなった。
請求項４に記載の本発明は、前記接続筒２を槽体１と一体的に構成したことにより、槽体１と接続部Ｓの継ぎ目が無い為、継ぎ目に汚れが付着することばなくなり清掃性が向上した。
請求項５に記載の本発明は、接続筒２を槽体１と別体に構成したことにより、設計に多様性をもたせることができる。
請求項６乃至請求項１０に記載の本発明は、槽体１（接続筒２）と排水器３の接続を、フランジレス構造によって接続することができるようになり、前述したように槽体１と排水器３の接続箇所に水残りが発生することなく、さらに、継ぎ目部分が無い為、継ぎ目に汚れが付着することなく接続することが出来るようになった。
【図面の簡単な説明】
【００２０】
【図１】実施例１の本発明品が取り付けられる流し台の断面図である。
【図２】実施例１における本発明品の施工状態を示す断面図である。
【図３】（ａ）実施例１における本発明品の施工状態を示す斜視図である。（ｂ）施例１における本発明品の施工状態を示す斜視断面図である。
【図４】実施例１における本発明品の分解図である。
【図５】（ａ）実施例１における本発明品の側面図である。（ｂ）実施例１における本発明品の正面図である。（ｃ）実施例１における本発明品の背面図である。（ｄ）実施例１における本発明品の上面図である。（ｅ）実施例１における本発明品の底面図である。
【図６】（ａ）乃至（ｆ）実施例１における本発明の施工手順を示す斜視図である。
【図７】（ａ）実施例２における本発明品の施工状態を示す断面図である。（ｂ）実施例２における本発明の施工手順を示す分解斜視図である。
【図８】（ａ）実施例３における本発明品の施工状態を示す断面図である。（ｂ）実施例３における本発明品の施工状態を示す斜視図である。
【図９】（ａ）実施例３における本発明品の施工手順を示す分解斜視図である。（ｂ）実施例３における本発明品のクイックファスナーの斜視図である。
【図１０】（ａ）乃至（ｄ）その他の実施例の施工手順を示す分解斜視図である。
【図１１】図１０の実施例における施工状態の断面図である。
【図１２】（ａ）その他の実施例を示す断面図である。（ｂ）その他の実施例を示す断面図である。
【図１３】従来例を示す断面図である。
【図１４】従来例を示す断面図である。
【発明を実施するための形態】
【実施例１】
【００２１】
第１実施例の槽体と排水器の接続構造は、図１に示すように台所の流し台に用いられており、流し台は、槽体１の下方に、鍋やフライパンなどの小物を収納する収納部１２を備える。
本実施例の槽体と排水器３の接続構造は、図１乃至図６に示したように、槽体１と、排水器３と、ロックナット５と、接続筒２と、分割ナット４と、水密パッキン９と、接続部Ｓと、排水管と、から構成される。
槽体１は、底部から側面にかけて排水用の開口１１を開口した箱体であって、本実施例ではステンレス製のシンクを槽体１と呼ぶ。
排水器３は、槽体１の排水用の開口１１に接続筒２を介して接続される排水器３であって、内部に封水を有した排水トラップを備える。この封水によってシールすることにより、下水からの臭気や害虫を室内側へ逆流することを防止するものである。
排水器３は、図２に示すように排水が流入する上面視角形状である流入箇所と、排水が排出される排出口が形成され、断面視傾斜して構成されるが、排出口は水平面に直交するように配置される。また、封水を形成する為の封水パーツＨを内部に備えて成る。当該封水パーツＨは管体を屈曲して構成され、下端にＯリングなどの水密部材を備え、排出口に封水パーツＨを差し込むことで封水を形成する。また、排水器３の、接続筒２と接続される方向の端部（本実施例では上端）に、外側方向に向けて鍔状に突出する第二フランジ部３１を構成する。当該第二フランジ部３１は、外周面は軸方向視円形状となるよう構成される。該第二フランジ部３１には、第一フランジ部２１排水器３の施工方向の位置決めや回転方向の方向性を位置決めする位置決め用リブが構成されている。
また、排水器３内部には、厨芥を収集するゴミカゴＫが配置され、更に、封水が使用者に目視できないように封水の直上であって、ゴミカゴＫの直下に配置される目皿や、排水用の開口１１に配置されて、ゴミカゴＫが使用者に目視されないように目隠しする排水プレートＰを備える。
ロックナット５は、リング状であって、内周面に雌ねじ６２を螺設し、尚かつ、前記排水器３の第二フランジ部３１を係止するための段部５１を構成する。ロックナット５の雌ねじ６２は、後記分割ナット４の雄ねじ６１に螺合する。該位置決め用リブは後記第一フランジ部２１の凹部２２に嵌るよう構成される。
接続筒２は、槽体１の排水用の開口１１に接続される軸方向視角形状の筒体であって、本実施例では、槽体１底面から側面にかけての開口に接続され、槽体１後方へ向かうように傾斜して接続される。尚、この時の傾斜とは、水平面に対し角度を有して接続筒２が接続されることをいう。また、接続筒２は、槽体１に溶接によって取り付けられるステンレス製の筒体であって、その下端は排水器３が接続される。尚、接続筒２下端には、外側方向に鍔状に突出して構成される第一フランジ部２１が構成される。また第一フランジ部２１には、前記第二フランジ部３１の位置合わせ用リブ３２に合致する凹部２２が構成される。
分割ナット４は、外周面に雄ねじ６１を螺設し、その内周面は接続筒２の角形状に沿う形状となっている２パーツから成る分割体である。接続筒２の第一フランジ部２１に係止するように配置されるが、配置方法としては、分割ナット４を分割させた状態から、接続筒２の第一フランジ部２１の上方で分割ナット４内周面を接続筒２外周面に合致するように合わせ、分割ナット４を合体させて配置する。分割ナット４は第一フランジ部２１に載置されるよう係止されるので、分割ナット４は合体後に意図的に取り外さない限り外れることはない。
水密パッキン９は、図４に示すように第一フランジ部２１と第二フランジ部３１の間に介在する平パッキンであって、第一フランジ部２１に当接する方向の面に凸リブを構成する。また、水密パッキン９は第二フランジ部３１に当接する方向の面に、第二フランジ部３１から脱落防止するためのツメ９１を数カ所構成している。このツメ９１は第二フランジ部３１に引っかかるように取り付けられる。
接続部Ｓは、前記接続筒２の第一フランジ部２１、分割ナット４、排水器３の第二フランジ部３１、ロックナット５、を指して接続部Ｓという。
排水管は、排水器３の排出口に接続される管体であって、最終的には下水管へと接続されることとなる。
【００２２】
上記した本発明の槽体１と排水器３は以下のように施工される。
図６（ａ）に示すように工場や施工現場において、槽体１の裏面から、接続筒２の外周に沿うように予め分割ナット４を合体させて図６（ｂ）のように接続筒２の第一フランジ部２１に係止させておく。また、排水器３には、図６（ｃ）のように予め第二フランジ部３１に水密パッキン９のツメ９１を係止させておく。この状態より施工現場にて図６（ｄ）のように排水器３の第二フランジ部３１の端面を、接続筒２の第一フランジ部２１の端面に位置合わせしつつ接面させる。このとき、水密パッキン９の凸リブは第一フランジ部２１に水密的に当接する。また、排水器３と接続筒２の傾斜方向は、槽体１後方に向かって下がるように第一フランジ部２１と第二フランジ部３１を接面させる。このとき、第二フランジ部３１に構成された位置決め用リブが第二フランジ部３１に構成された凹部２２に嵌るように接面させる。このことにより、排水器３に回転方向の方向性があったり、施工時に発生する位置合わせが必要であっても、リブの嵌合によって位置決めが簡単にできるようになる。
そして、図６（ｅ）のように排水器３下方から、ロックナット５を挿通させ、ロックナット５の段部５１を第二フランジ部３１に係止するようにしてから、ロックナット５の雌ねじ６２を分割ナット４外周の雄ねじ６１に螺合させる。このとき、図６（ｆ）のように分割ナット４とロックナット５によって、第一フランジ部２１、水密パッキン９、第二フランジ部３１を狭持するようにして締め付け固定することができる。また、水密パッキン９には脱落防止用のツメ９１が構成されているので、施工時に水密パッキン９が脱落したりよれたりすることがない。
以上のように施工されるから、接続筒２と排水器３の内周面に段差が生じないから、接続部Ｓ内周面の少なくとも下方に位置する傾斜面はフラット面、もしくは下流に行くほど広がる段差となる。
その後、排水器３の排出口に排水管を接続することによって施工が完了する。
上記槽体１と排水器３は以下のような排水の流れとなる。
槽体１に発生した排水は、排水用の開口１１から接続筒２へ流入し、排水器３内に流入する。その後、排水器３の排水トラップの封水と封水パーツＨ内を介して排出口から排出される。その後、排水器３の排出口に接続された排水管を介して最終的には下水管へと排水される。
また、該槽体１と排水器３を使用時、第一フランジ部２１と第二フランジ部３１を分割ナット４とロックナット５によって接続固定したことから、接続筒２と排水器３の接続部Ｓの内部側にフランジ部の継ぎ目が存在しないので、使用時に接続部Ｓに水残りが発生することがない。また、継ぎ目部分に汚れやヌメリが付着することもない。
【実施例２】
【００２３】
第２実施例の槽体と排水器の接続構造は、図７に示すように台所の流し台に用いられており、流し台は、槽体１の下方に、鍋やフライパンなどの小物を収納する収納部１２を備える。
本実施例の槽体と排水器の接続構造は、槽体１と、排水器３と、接続筒２と、ビス７１と、水密パッキン９と、接続部Ｓと、排水管と、から構成される。
槽体１は、底部に排水用の開口１１を開口した箱体であって、本実施例では樹脂である人工大理石製のシンクからなる。
排水器３は、槽体１の排水用の開口１１に接続筒２を介して接続される排水器３であって、軸方向視円形の形状であって、内部に封水を有した排水トラップを備える。この封水によってシールすることにより、下水からの臭気や害虫が室内側へ逆流することを防止するものである。排水器３は、排水が流入する上面視円形状である流入箇所と、排水が排出される排出口が形成され、断面視傾斜して構成されるが、排出口は水平面に直交するように配置される。また、封水を形成する為の封水パーツＨを内部に備え、当該封水パーツＨは管体を屈曲して構成され、下端にＯリングなどの水密部材を備え、排出口に封水パーツＨを差し込むことで封水を形成する。また、排水器３の、接続筒２と接続される方向の端部（本実施例では上端）に、外側方向に向けて鍔状に突出する第二フランジ部３１を構成する。この第二フランジ部３１には、ビス孔７２が複数開口されている。
接続筒２は、槽体１の排水用の開口１１に接続される合成樹脂製の軸方向視円形状の筒体であって、本実施例では、上端に槽体１の排水用開口に係止するための鍔と、鍔下方に構成された雄ねじ６１と、接続筒２の雄ねじ６１に締め付け固定する為のロックナット５をそなえる。また、当該接続筒２は、接続筒２の鍔を槽体１の排水用開口に係止させ、槽体１の裏側からロックナット５によって接続筒２の雄ねじ６１を締め付けてゆくことで、鍔とナット部材で槽体１の排水用開口を狭持して取り付けることが出来るものである。また、接続筒２は槽体１後方ほど下方に向かうように傾斜して槽体１に接続される。尚、この時の傾斜とは、水平面に対し角度を有して接続筒２が接続されることをいう。また、接続筒２は、合成樹脂製の筒体であって、その下端は前記排水器３が接続される。尚、接続筒２下端には、外側方向に鍔状に突出して構成される第一フランジ部２１が構成される。該第一フランジ部２１には、前記第二フランジ部３１に構成されたビス孔７２に対応する箇所にビス孔７２を複数開口してなる。また、本実施例では槽体１と接続筒２が別体で構成される。
ビス７１は、外周に雄ねじ６１を設けた雄ねじ６１であり、本実施例では排水器３側から第二フランジ部３１のビス孔７２に挿入される。また、当該雄ねじ６１に螺合する、内周に雌ねじ６２を切ったナットを構成し、本実施例では接続筒２の第一フランジ部２１側に配置され、前記ビス７１が第一フランジ部２１と第二フランジ部３１のビス孔７２に挿通された後にこのナット雌ねじ６２により第一フランジ部２１と第二フランジ部３１を狭持して螺合することになる。
水密パッキン９は、第一フランジ部２１と第二フランジ部３１の間に介在する平パッキンである。
接続部Ｓは、前記接続筒２の第一フランジ部２１、排水器３の第二フランジ部３１、ビス７１、を指して接続部Ｓという。
排水管は、排水器３の排出口に接続される管体であって、最終的には下水管へと接続されることとなる。
【００２４】
上記した槽体と排水器の接続構造は以下のように施工される。
工場や施工現場において、図７（ｂ）のように、槽体１の上方から、槽体１の排水用開口に接続筒２を挿入し、水密部材を介して接続筒２の鍔を排水用開口に係止させる。槽体１の裏面からナット部材で接続筒２の雄ねじ６１に螺合してゆき、ナット部材と接続筒２の鍔で槽体１の排水用開口を狭持固定して接続筒２を槽体１に取り付ける。また、槽体１の裏面から接続筒２の第一フランジ部２１に、水密パッキン９を介して排水器３の第二フランジ部３１を当接させる。また、本実施例では備えていないが、このとき、第二フランジ部３１に位置合わせ用リブ３２を構成し、更に第一フランジ部２１に凹部２２を構成しておけば、施工時に位置合わせ用リブ３２と凹部２２を合致するように当接させることができるので、排水器３に傾斜角度が備えられていることで方向性が発生した際にも施工が非常に簡単になるし、第一フランジ部２１と第二フランジ部３１のビス孔７２同士の位置合わせも行いやすくなる。そして、ビス７１を第二フランジ部３１下方からビス孔７２に差し込み、第一フランジ部２１を介してビス７１の雄ねじ６１をナット雌ねじ６２に螺合させる。ビス７１が第二フランジ部３１、第一フランジ部２１を介してナット雌ねじ６２に螺合することによって、排水器３と接続筒２が水密的に接続することとなる。尚、本実施例では雌ねじ６２をビス孔７２と別体のナットで構成しているが、ビス孔７２の内周面に雌ねじ６２を螺設して構成してもかまわない。
その後、排水器３の排出口に排水管を接続することによって施工が完了する。
上記槽体と排水器の接続構造は以下のような排水の流れとなる。
槽体１に発生した排水は、排水用の開口１１から接続筒２へ流入し、排水器３内に流入する。その後、排水器３の排水トラップの封水と封水パーツＨ内を介して排出口から排出される。その後、排水器３の排出口に接続された排水管を介して最終的には下水管へと排水される。
また、使用時において、第一フランジ部２１と第二フランジ部３１をビス７１と雌ねじ６２によって接続固定したことから、接続筒２と排水器３の接続部Ｓ内周面にフランジ部の継ぎ目が存在しないので、使用時において接続部Ｓに水残りが発生することがない。また、継ぎ目部分に汚れやヌメリが付着することもない。
【実施例３】
【００２５】
第３実施例の槽体と排水器の接続構造は、図８又は図９に示すように台所の流し台に用いられており、流し台は、槽体１の下方に、鍋やフライパンなどの小物を収納する収納部１２を備える。
本実施例の槽体と排水器の接続構造は、槽体１と、排水器３と、接続筒２と、クイックファスナー８と、水密パッキン９と、接続部Ｓと、排水管と、から構成される。
槽体１は、底部から側面にかけて排水用の開口１１を開口した箱体であって、本実施例ではステンレス製のシンクを槽体１と呼ぶ。
排水器３は、槽体１の排水用の開口１１に接続筒２を介して接続される排水器３であって、内部に封水を有した排水トラップを備える。この封水によってシールすることにより、下水からの臭気や害虫が室内側へ逆流することを防止するものである。
排水器３は、排水が流入する上面視円形状である流入箇所と、排水が排出される排出口が形成され、断面視傾斜して構成されるが、排出口は水平面に直交するように配置される。また、封水を形成する為の封水パーツＨを内部に備え、当該封水パーツＨは管体を屈曲して構成され、下端にＯリングなどの水密部材を備え、排出口に封水パーツＨを差し込むことで封水を形成する。また、排水器３の、接続筒２と接続される方向の端部（本実施例では上端）に、外側方向に向けて鍔状に突出する第二フランジ部３１を構成する。当該第二フランジ部３１は、外周面は軸方向視円形状となるよう構成される。
接続筒２は、槽体１の排水用の開口１１に接続される軸方向視円形状の筒体であるが、本実施例では、槽体１底面から側面にかけての開口に一体的に構成され、槽体１後方へ向かうように傾斜して接続される。尚、この時の傾斜とは、水平面に対し角度を有して接続筒２が接続されることをいう。その下端は排水器３が接続される。本実施例では接続筒２の長さが短く構成されている。尚、接続筒２下端には、外側方向に鍔状に突出して構成される第一フランジ部２１が構成される。
クイックファスナー８は、図９（ｂ）に示すように、ばね性を有する金属製材料からなる先端部間に開口部８２を有して弧状に形成され、前記第一フランジ部２１と第二フランジ部３１を狭持する為の切り溝８１を有し、フランジ部間を当接固定する部材である。
水密パッキン９は、第一フランジ部２１と第二フランジ部３１の間に介在する平パッキンである。
接続部Ｓは、前記接続筒２の第一フランジ部２１、排水器３の第二フランジ部３１、クイックファスナー８、を指して接続部Ｓという。
排水管は、排水器３の排出口に接続される管体であって、最終的には下水管へと接続されることとなる。
【００２６】
上記した槽体と排水器３の接続構造は以下のように施工される。
工場や施工現場において、槽体１の裏面から、接続筒２の第一フランジ部２１に排水器３の第二フランジ部３１を水密パッキン９を介して当接させる。このとき、例えば両フランジ部間に位置合わせ用の凹凸を構成していてもかまわない。そして、クイックファスナー８の開口部８２を第一フランジ部２１と第二フランジ部３１に沿うように合わせ、クイックファスナー８の切り溝８１が両フランジ部を狭持するように開口部８２から差し込んでゆく。そうすると、第一フランジ部２１と第二フランジ部３１がクイックファスナー８の切り溝８１によって狭持されるので、両者は強固に接続されることとなる。
その後、排水器３の排出口に排水管を接続することによって施工が完了する。
上記槽体と排水器３の接続構造は以下のような排水の流れとなる。
槽体１に発生した排水は、排水用の開口１１から接続筒２へ流入し、排水器３内に流入する。その後、排水器３の排水トラップの封水と封水パーツＨ内を介して排出口から排出される。その後、排水器３の排出口に接続された排水管を介して最終的には下水管へと排水される。
また、使用時において第一フランジ部２１と第二フランジ部３１をクイックファスナー８によって接続固定したことから、接続筒２と排水器３の接続部Ｓにフランジ部の継ぎ目が存在しないので、使用時に接続部Ｓに水残りが発生することがない。また、継ぎ目部分に汚れやヌメリが付着することもない。
【００２７】
前記した実施例では、槽体１をステンレス製や人工大理石で構成されているが、材質は特に限定されるものではない。また、槽体１と接続筒２の接続方法については上記実施例に限定されるものではなく、槽体１に一体的に構成されていたり、溶接で接続されていたり、接着で接続されていたり、鍔とナットで狭持接続されている構成でも良い。
また、槽体１の排水用の開口１１及び接続筒２、排水器３の流入口の形状は上記実施例に限定されるものではなく、角形や三角形等の円以外の異形形状で構成されても良い。
また、上記実施例の他、例えば図１０及び図１１に示すように、接続部Ｓの構成を、接続筒２に外側方向へ向けて突出する第一フランジ部２１と、前記第一フランジ部２１に係止する、内周に雌ねじ６２を螺設する分割体であって、内部に接続筒２外周を囲う開口を形成する分割ナット４と、分割ナット４が分解しないようガイドする分割ナット４の外周形状に沿う形状であるガイド体４１と、前記排水器３外周に螺設した、前記分割ナット４の雌ねじ６２と螺合する雄ねじ６１と、から構成してもかまわない。この時の接続方法としては、図１０（ｂ）のように予め接続筒２の外周に分割ナット４を沿わせて合体させておき、図１０（ｃ）のようにガイド体４１を分割ナット４外周にはめ込み、分割ナット４が分解して脱落しないようにしておく。図１０（ｄ）のようにそして排水器３の雄ねじ６１を分割ナット４の雌ねじ６２に螺合させ、第一フランジ部２１と第二フランジ部３１が水密パッキン９を介して接続されるようにする手順である。
また、図１２（ａ）に示すように、接続筒２端部に雄ねじ６１を構成し、排水器３にロックナット５としての雌ねじ６２を備えた第二フランジ部３１を構成して、接続筒２の雄ねじ６１とロックナット５の雌ねじ６２を螺合して接続部Ｓを構成しても良い。尚、この実施例の他、図１２（ｂ）のように接続筒２の第一フランジ部２１を接続筒２とは別体に構成して一部切り欠きを有したＣ字リングとし、接続筒２に構成された溝にはめ込むことで第一フランジ部２１としても良い。
また、前記実施例では排水器３を排水トラップとしているが、当該実施例に限定されるものではなく、排水管等の排水性能を備える部材であればよい。
【符号の説明】
【００２８】
槽体              １
排水用の開口      １１
収納部            １２
接続筒            ２
第一フランジ部    ２１
凹部              ２２
排水器            ３
第二フランジ部    ３１
位置合わせ用リブ  ３２
分割ナット        ４
ガイド体          ４１
ロックナット      ５
段部              ５１
雄ねじ            ６１
雌ねじ            ６２
ビス              ７１
ビス孔            ７２
クイックファスナー  ８
切り溝            ８１
開口部            ８２
水密パッキン      ９
ツメ              ９１
接続部            Ｓ
封水パーツ        Ｈ
ゴミカゴ          Ｋ
排水プレート      Ｐ
【図１】
0006031646.tif 000002
【図２】
0006031646.tif 000003
【図３】
0006031646.tif 000004
【図４】
0006031646.tif 000005
【図５】
0006031646.tif 000006
【図６】
0006031646.tif 000007
【図７】
0006031646.tif 000008
【図８】
0006031646.tif 000009
【図９】
0006031646.tif 000010
【図１０】
0006031646.tif 000011
【図１１】
0006031646.tif 000012
【図１２】
0006031646.tif 000013
【図１３】
0006031646.tif 000014
【図１４】
0006031646.tif 000015